(57)【要約】【課題】窓の室外側に設けられた開き雨戸を近傍の室内側から簡単な構造で確実且つ容易に開閉操作することができる開口部装置を提供する。【解決手段】嵌め殺し窓２５または障子が開閉可能な窓の室外側に開閉可能な開き雨戸３０を設けた開口部装置１であって、前記窓の上下何れかの横枠１５の室内側にその長手方向に沿って操作部４０を摺動可能に設け、前記横枠１５内に前記操作部４０の直線動を回動に変換する変換機構８０を設け、該変換機構８０の回動側に開き雨戸３０を開閉するレバー部４１を設け、該レバー部４１の端部には前記横枠１５と対応する開き雨戸の上下何れかの横框３７にその長手方向に沿って設けられた案内部６３に係合して移動する移動部６１が設けられている。【選択図】          図５
2005030057.tif 000002
【特許請求の範囲】
【請求項１】
嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられていることを特徴とする開口部装置。
【請求項２】
嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部により直接または間接的に動かされるラック部材と、該ラック部材によって回動される歯車部材とを設け、該歯車部材に前記開き雨戸を開閉するレバー部を設け、該レバー部の端部には前記横枠と対応する開き雨戸の上下何れかの横框にその長手方向に沿って設けられた案内部に係合して移動する移動部が設けられていることを特徴とする開口部装置。
【請求項３】
嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられ、前記操作部は開き雨戸の全開位置と全閉位置に対応する位置で操作部の移動をロックし且つそのロックを解除する押ボタンを有していることを特徴とする開口部装置。
【発明の詳細な説明】
【０００１】
【発明の属する技術分野】
本発明は、開口部装置及び出窓に係り、特に嵌め殺し窓または障子が開閉可能な窓の室外側に設けた開き雨戸を室内側から開閉操作する構造を改良した開口部装置に関するものである。
【０００２】
【従来の技術】
開口部装置としては、出窓本体の左右の側面部に嵌め殺し窓を設け、該嵌め殺し窓の室外側に開き雨戸を開閉可能に設けた出窓が知られている（例えば、特開平１０−８８９１８号公報参照）。この出窓においては、出窓本体の正面部に引違い窓が設けられ、この引違い窓の室外側には昇降可能なシャッターが設けられている。このように出窓の正面部及び側面部の窓の室外面を覆うことにより、台風や強風時における飛来物からの窓ガラスの保護、光や音の遮断、防犯性の向上等が図られている。
【０００３】
特に、前記出窓においては、前記開き雨戸を開閉操作するために、正面部の引違い窓の下枠上にこれと平行に操作部材を摺動可能に設け、この操作部材と前記開き雨戸とをアームで連結した構成がとられている。
【０００４】
【特許文献１】
特開平１０−８８９１８号公報
【０００５】
【発明が解決しようとする課題】
しかしながら、前記出窓においては、開き雨戸を開閉操作する操作部材が正面部の引違い窓の下枠上に設けられていて、開き雨戸の近傍に設けられていないため、操作性に劣る。
【０００６】
本発明は、前記事情を考慮してなされたもので、窓の室外側に設けられた開き雨戸を近傍の室内側から簡単な構造で確実且つ容易に開閉操作することができる開口部装置を提供することを目的とする。
【０００７】
【課題を解決するための手段】
本発明のうち、請求項１の発明は、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられていることを特徴とする。
【０００８】
請求項２の発明は、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部により直接または間接的に動かされるラック部材と、該ラック部材によって回動される歯車部材とを設け、該歯車部材に前記開き雨戸を開閉するレバー部を設け、該レバー部の端部には前記横枠と対応する開き雨戸の上下何れかの横框にその長手方向に沿って設けられた案内部に係合して移動する移動部が設けられていることを特徴とする。
【０００９】
請求項３の発明は、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられ、前記操作部は開き雨戸の全開位置と全閉位置に対応する位置で操作部の移動をロックし且つそのロックを解除する押ボタンを有していることを特徴とする。
【００１０】
【発明の実施の形態】
以下に、本発明の実施の形態を添付図面に基いて詳述する。図１は本発明を出窓に適用した第１実施の形態を示す概略的斜視図、図２は同出窓の概略的縦断面図、図３は同出窓の概略的横断面図、図４は同出窓の側面部の概略的縦断面図、図５は図４のＡ−Ａ線概略的断面図、図６は同出窓の側面部の室内側要部斜視図、図７は同出窓の側面部の室外側要部斜視図、図８の（ａ）は同出窓の側面部の要部分解斜視図、（ｂ）は下枠補助部材の室内側斜視図である。
【００１１】
これらの図において、１は開口部装置として示した出窓で、この出窓１は建物の開口部に張出して取付けられる出窓本体２と、この出窓本体２の上部に設けられる天板３、屋根４と、出窓本体２の下部に設けられるテーブル板５、底板６とを備えている。出窓本体２は、建物の開口部と平行な正面部７及び左右の側面部８を有する平面台形に形成されている。
【００１２】
出窓本体２は、建物の躯体（開口部の左右の柱）１０に固着具例えばネジ１１で取付固定される左右の縦枠１２と、正面部７の左右に配置される方立１３と、縦枠１２と方立１３の間に結合される上下の横枠である側面上枠１４、側面下枠１５と、左右の方立１３間に結合される正面上枠１６、正面下枠１７とを有し、これらをネジ止めにより枠状に組立てて構成されている。また、出窓本体２は、左右の縦枠１２の下端部間に掛け渡されて開口部の窓台１８に当接される水切り部材２０を有し、この水切部材２０と正面下枠１７との間には補強ブラケット２１が掛け渡されている。補強ブラケット２１は水切り部材２０から室内方向に突出した突出部２２を有し、この突出部２２が窓台１８上に固着具例えばネジ２３で固定されている。
【００１３】
出窓本体２の正面部７には開閉可能な窓例えば引違い窓２４が設けられ、左右の側面部８には嵌め殺し窓２５が設けられている。すなわち、正面部７における左右の方立１３、正面上枠１６及び正面下枠１７で組まれた枠組内には、引違い窓２４を構成する内外の障子２６ａ，２６ｂが開閉可能に取付けられており、側面部８における縦枠１２、方立１３、側面上枠１４及び側面下枠１５で組まれた枠組内には、嵌め殺し窓２５を構成するガラスパネル２７が嵌め込まれている。前記縦枠１２、方立１３、正面上枠１６、正面下枠１７、側面上枠１４及び側面下枠１５は、金属製例えばアルミニウム合金製の押出形材からなっている。また、図示例の場合、断熱性を向上させるために、金属製の押出形材の室内側には合成樹脂製の室内形材が着脱可能に取付けられている。
【００１４】
前記正面部７の引違い窓２４の室外側には、引違い窓２４を覆うシャッター２８が昇降可能に設けられ、側面部８の嵌め殺し窓２５の室外側には、嵌め殺し窓２５を覆う開き雨戸３０が開閉可能に設けられている。前記屋根４と正面上枠１６の間にはシャッター２８のシャッタースラット３１を巻き上げ下げする巻取部を有するシャッター本体３２が取付けられ、その外側にはシャッター本体３２の正面を覆うカバー材３３がシャッター本体の点検ができるように着脱可能に取付けられている。前記左右の縦枠１２の前面部にはシャッタースラット３１の左右両側部を昇降可能に案内支持するガイドレール３４が着脱可能に取付けられている。
【００１５】
前記開き雨戸３０は、図４ないし図５にも示すように、縦枠１２側を支点として開閉可能に設けられている。前記縦枠１２の室外面には、開き雨戸３０の基端部の上下端部を回動可能に軸支する上下一対のピボット軸受３５ａ，３５ｂが取付けられている。開き雨戸３０は、例えば金属製の上框３６、下框３７及び左右の縦框３８で組まれた枠内に鋼板等でなる複数枚のパネル３９を組込んでなるものである。
【００１６】
そして、前記開き雨戸３０を室内側から開閉操作するために、嵌め殺し窓２５の下枠（側面下枠）（横枠）１５の室内側にその長手方向に沿って操作部４０が摺動可能に設けられ、下枠１５内には前記操作部４０の直線動を回動に変換する変換機構８０が設けられている。この変換機構８０は前記操作部４０により動かされるラック部材６５と、このラック部材６５によって回動される歯車部材６４とからなり、その回動側の歯車部材６４には前記開き雨戸３０を開閉するレバー部４１が設けられている。
【００１７】
本実施例では、前記嵌め殺し窓２５の下枠（側面下枠）（横枠）１５に下枠補助部材４３が着脱可能に設けられ、この下枠補助部材４３には室内側に位置される操作部４０と、室外側に位置され前記操作部４０と連動して前記開き雨戸３０を開閉するレバー部４１とを有する開閉機構ユニット（オペレータ）４２が設けられている。開閉機構ユニット４２は、アタッチメントである下枠補助部材４３を介して側面下枠１５の上部に着脱可能に取付けられている。この下枠補助部材４３は、金属製例えばアルミニウム合金製押出形材からなり、その室内面には断熱のための合成樹脂製のカバー部材４３ａが例えば係合嵌め込みにより取付けられている。
【００１８】
下枠補助部材４３は、図６、図７ないし図８に示すように側面下枠１５上に載置されて縦枠１２と方立１３の間に収まっている。下枠補助部材４３は、上部にガラスパネル２７の下部を嵌め込むための溝部４４を有している。縦枠１２と方立１３の合成樹脂製の室内形材１２ａ，１３ａには、ガラスパネル２７の両側部を室内側から押える合成樹脂製の側部押縁４５が着脱可能に取付けられ、側面上枠１４の室内形材１４ａには、ガラスパネル２７の上部を室内側から押える合成樹脂製の上部押縁４６が着脱可能に取付けられている。
【００１９】
図示例の出窓１の出窓本体２は、ノーマルの窓枠からなり、その側面下枠１５に下枠補助部材４３が着脱可能に取付けられるようになっており、側面部８に開き雨戸３０を有するものと開き雨戸を有しないものの何れかを選択可能になっていると共に、開き雨戸３０を有するものを選択した場合には、開閉形態を従来（特開平１０−８８９１８号公報記載）の正面開閉方式と本案の側面開閉方式の何れかに選択可能になっている。下枠補助部材４３を取付けない場合には、側面下枠１５の上部に形成された溝部４７にガラスパネル２７の下部が嵌め込まれるようになっている。側面下枠１５にはその室内露出部を覆う合成樹脂製の室内形材１５ａが取付けられ、この室内形材１５ａの上部にはテーブル板５の上縁部を押える押え片部４８が形成され、この押え片部４８の付根部に前記下枠補助部材４３の室内側のカバー部材４３ａを位置決め係止するための係止部４９が形成されている。
【００２０】
前記下枠補助部材４３は、図８にも示すように垂直な室内片部４３ｂの室外側に水平な上片部４３ｃと下片部４３ｄを平行に形成してなる。前記操作部４０は、開閉機構ユニット４２から分割されており、操作部４０のケース部５０が前記下枠補助部材４３の垂直な室内片部４３ｂを挟んで開閉機構ユニット４２のケース部５１に室内側からネジ５２で取付けられている。下枠補助部材４３のカバー部材４３ａには操作部４０のケース部５０を挿入するための開口部５３が形成され、この開口部５３の両端部にネジ隠しキャップ５４が装着されている。前記開閉機構ユニット４２のケース部５１は室外側から下枠補助部材４３の水平で平行な上片部４３ｃと下片部４３ｄの間に挿入されている。
【００２１】
操作部４０は、ケース部５０と、該ケース部５０内に基部が左右方向にスライド可能に支持収容されて室内側へ突出された摘み部５５とから主に構成されている。この摘み部５５の基部にはケース部５０の後面部から突出した平面Ｕ字状の係合受部５６が形成され、この係合受部５６に開閉機構ユニット４２側の後述の係合部５７が係合されている。開き雨戸３０を図５の実線で示す閉位置または仮想線で示す開位置、或いは任意の開度位置に保持するために、前記摘み部５５を開き雨戸３０の全開位置及び全閉位置に対応する位置にロックし且つロックを解除するためのロックレバー５８が支軸５９を介して回動可能に設けられている。ロックレバー５８は、常時ロック方向に図示しないバネにより付勢されたロック片５８ａを有し、該ロック片５８ａがケース部５０内のスライド方向両端箇所に設けられたロック受部（図示省略）の何れかに係合しており、摘み部５５を掴みロックレバー５８を押すことによりロック片５８ａをロック受部から離脱させてロックを解除し、摘み部５５を左右に操作できるようになっている。なお、前記ロックレバーは摘み部のスライド方向の任意の位置でロックできるように構成されていても良い。
【００２２】
一方、開閉機構ユニット４２は、ケース部５１を有し、該ケース部５１内に前記レバー部４１の基端部が支軸６０を介して水平回動可能に軸支されている。開き雨戸３０の開き角度（開度）を大きくするために、レバー部４１の支軸６０は、開き雨戸３０の支点（ピボット軸）３５ｘ側に近付けて配置されている。レバー部４１の先端部にはローラ（移動部）６１が取付けられ、開き雨戸３０の下框３７には、その室内面にレバー部４１の先端側を左右方向（下框の長手方向）に移動可能に挿入するための開口スリット部６２が設けられていると共に、前記ローラ６１を係合させて左右方向に移動可能に案内するガイド溝（案内部）６３が設けられている。これにより、レバー部４１が図５の時計方向に回動すると開き雨戸３０が開き、レバー部４１が反時計方向に回動すると開き雨戸３０が閉まるようになっている。
【００２３】
前記レバー部４１の基端部には略半円形ないし扇形の歯車部材６４が設けられ、ケース部５１内にはこの歯車部材６４に噛合するラック部材６５が長穴６６とピン６７を介して左右方向にスライド可能に支持されている。長穴６６はラック部材６５に形成され、ピン６７は長穴６６に挿入された状態でケース部５１に固定されている。前記ラック部材６５には前記操作部４０の係合受部５６に係合される係合部５７が室内側へ向って突設されており、ケース部５１には係合部５７の左右方向のスライド移動を許容するスリット６８が形成されている。
【００２４】
前記開閉機構ユニット４２のケース部５１の室外側端部には左右方向に長いフランジ部６９が形成され、該フランジ部６９が下枠補助部材４３の室外面に当接されていると共にフランジ部６９の両端部が縦枠１２と方立１３の室外面に当接されてネジ７０で取付固定されている。また、前記フランジ部６９の前面部には、ケース部５１内への雨水等の浸入を防止するゴムまたは軟質樹脂製の薄板状のカバー７１が取付けられ、このカバー７１にはレバー部４１の水平移動を許容するスリット７２が形成されている。
【００２５】
以上の構成からなる出窓１によれば、図５において、閉状態の開き雨戸３０を開ける場合には、先ず操作部４０の摘み部５５を掴みロックレバー５８を押してロックを解除し、摘み部５５を左方向へスライド移動する。すると、摘み部５５と一体にラック部材６５が左方向へスライド移動し、このラック部材６５に歯車部６４を介して連結されているレバー部４１が時計方向に回動する。このレバー部４１の回動により開き雨戸３０がピボット軸３５ｘを支点に時計方向に回動して開く。そして、前記摘み部５５とロックレバー５８から手を離すと、自動的にロックされ開き雨戸３０が開状態に保持される。この開状態から開き雨戸３０を閉める場合には、操作部４０の摘み部５５を掴みロックレバー５８を押してロックを解除し、摘み部５５を右方向へスライド移動すれば良い。
【００２６】
このように前記出窓１によれば、嵌め殺し窓２５の下枠（側面下枠）１５の室内側にその長手方向に沿って操作部４０を動可能に設け、前記下枠１５内に前記操作部４０の直線動を回動に変換する変換機構８０を設け、この変換機構８０の回動側に開き雨戸３０を開閉するレバー部４１を設け、このレバー部４１の端部には前記横枠１５と対応する開き雨戸の下框３７にその長手方向に沿って設けられたガイド溝６３に係合して移動するローラ６１が設けられているため、嵌め殺し窓２５の室外側に設けられた開き雨戸３０を近傍の室内側から簡単な構造で確実且つ容易に開閉操作することができる。
【００２７】
実施例では、前記嵌め殺し窓２５の下枠１５に下枠補助部材４３を着脱可能に設け、該下枠補助部材４３には室内側に位置される操作部４０と、室外側に位置され前記操作部４０と連動して前記開き雨戸３０を開閉するレバー部４１とを有する開閉機構ユニット４２が設けられているので、嵌め殺し窓２５の室外側に設けられた開き雨戸３０を近傍の室内側から容易に開閉操作することができる。
【００２８】
この場合、開閉機構ユニット４２は、操作部４０の摘み部５５の左右方向のスライド操作により左右方向にスライド移動されるラック部材６５と、前記レバー部４１の基端部に設けられラック部材６５に噛合された歯車部材６４とを備えて構成されているため、摘み部５５の簡単な水平スライド操作で容易に開き雨戸３０を開閉することができると共に、開閉機構ユニット４２の構造の簡素化及びコンパクト化が図れる。このため、下枠補助部材４３に開閉機構ユニット４２を容易に組込むことができ、また、開閉機構自体が露出しないので意匠的にも優れている。
【００２９】
前記開閉機構ユニット４２が側面下枠１５の上部に着脱可能に取付けられる下枠補助部材４３に組込まれているため、側面下枠１５等に加工を要することがなく、組立性ないし施工性の向上が図れる。前記出窓１の出窓本体２はノーマルの窓枠からなり、その側面下枠１５に下枠補助部材４３が着脱可能に取付けられるようになっているため、側面部８に開き雨戸３０を有するものと開き雨戸を有しないものとの何れかの選択が可能であり、また、開き雨戸３０を選択する場合には、開閉形態を従来（特開平１０−８８９１８号公報記載）の正面側開閉方式と本案の側面開閉方式との何れかの選択が可能であり、バラエティーに富む。また、出窓本体２を共通のノーマルの窓枠としていることによりコストの低減が図れる。
【００３０】
図９は本発明の第２実施の形態を示す出窓左側面部の室内側要部斜視図、図１０は図９の要部概略的縦断面図、図１１は出窓の右側面部の概略的横断面図、図１２は操作部の概略的縦断面図である。本第２実施の形態において、前記第１実施の形態と同じ部分は同じ参照符号を付して説明を省略し、異なる部分について説明を加える。本第２実施の形態においては、操作部４０が開き雨戸３０の全開位置と全閉位置に対応する位置で操作部４０すなわち摘み部５５の移動をロック（係止）し且つそのロックを解除する押ボタン９０を有している。
【００３１】
図１２に示すように前記摘み部５５の内部には中空部９１が形成され、この中空部９１に押ボタン９０の基部９２が揺動可能に収容されている。押ボタン９０の基部９２は室内外方向に長く形成され、その肉厚が室外端から室内端に向かって漸次増大するように底面にテーパー９３が形成されている。押ボタン９０の基部９２における長手方向略中間部の下部と中空部９１の下部との間には、押ボタン９０の基部９２の室外端側を上方へ付勢するコイルばね９４が取付けられ、このコイルばね９４のばね力で押ボタン９０の基部室外端側上部の係合部９５がケース部５０内の上部のその長手方向両端部に形成された係合受部９６の何れかに係合して摘み部５５の左右方向のスライド移動が停止固定され、開き雨戸を全開位置または全閉位置に固定できるようになっている。
【００３２】
押ボタン９０は摘み部５５の上面部を貫通して上向きに突出されており、例えば摘み部５５を手で握り、親指で押ボタン９０を下方に押すことにより係合部９５と係合受部９６の係合が外れ、ロックが解除されるようになっている。この押ボタン９０を押した状態で摘み部５５を左右方向にスライド移動操作することにより開き雨戸３０を開閉操作することができる。本第２実施の形態においても、前記第１実施の形態と同様の効果を奏することができる。
【００３３】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では本発明を出窓に適用した例が示されているが、本発明は出窓でない通常の窓にも適用可能である。また、前記実施の形態では嵌め殺し窓の室外側に開き雨戸を設けた例が示されているが、本発明は嵌め殺し窓でない障子が開閉可能な窓の室外側に開き雨戸を設けた場合にも適用可能である。操作部及び変換機構が下枠に設けられているが、上枠に設けられていても良い。また、操作部によりラック部材が直接動かされるようになっているが、伝達部材を介して間接的に動かされるようになっていても良い。更に、下枠補助材を備えているが、下枠補助材を備えていなくても良い。
【００３４】
【発明の効果】
以上要するに本発明によれば、次のような効果を奏することができる。
【００３５】
（１）請求項１の発明によれば、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられているため、窓の室外側に設けられた開き雨戸を近傍の室内側から簡単な構造で確実且つ容易に開閉操作することができる。
【００３６】
（２）請求項２の発明によれば、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部により直接または間接的に動かされるラック部材と、該ラック部材によって回動される歯車部材とを設け、該歯車部材にレバー部を設け、該レバー部により前記開き雨戸を開閉するレバー部を設け、該レバー部の端部には前記横枠と対応する開き雨戸の上下何れかの横框にその長手方向に沿って設けられた案内部に係合して移動する移動部が設けられているため、窓の室外側に設けられた開き雨戸を近傍の室内側から簡単な構造で確実且つ容易に開閉操作することができる。
【００３７】
（３）請求項３の発明によれば、嵌め殺し窓または障子が開閉可能な窓の室外側に開閉可能な開き雨戸を設けた開口部装置であって、前記窓の上下何れかの横枠の室内側にその長手方向に沿って操作部を摺動可能に設け、前記横枠内に前記操作部の直線動を回動に変換する変換機構を設け、該変換機構の回動側に前記開き雨戸を開閉するレバー部を設け、該レバー部の端部には前記横枠と対応する開き雨戸の上下何れかの横框にその長手方向に沿って設けられた案内部に係合して移動する移動部が設けられ、前記操作部は開き雨戸の全開位置と全閉位置に対応する位置で操作部の移動をロックし且つそのロックを解除する押ボタンを有しているため、窓の室外側に設けられた開き雨戸を近傍の室内側から簡単な構造で確実且つ容易に開閉操作することができると共に、開き雨戸を全開位置または全閉位置に固定することができる。
【図面の簡単な説明】
【図１】本発明を出窓に適用した第１実施の形態を示す概略的斜視図である。
【図２】同出窓の概略的縦断面図である。
【図３】同出窓の概略的横断面図である。
【図４】同出窓の側面部の概略的縦断面図である。
【図５】図４のＡ−Ａ線概略的断面図である。
【図６】同出窓の側面部の室内側要部斜視図である。
【図７】同出窓の側面部の室外側要部斜視図である。
【図８】（ａ）は同出窓の側面部の要部分解斜視図、（ｂ）は下枠補助部材の室内側斜視図である。
【図９】本発明の第２実施の形態を示す出窓左側面部の室内側要部斜視図である。
【図１０】図９の要部概略的縦断面図である。
【図１１】出窓の右側面部の概略的横断面図である。
【図１２】操作部の概略的縦断面図である。
【符号の説明】
１  出窓（開口部装置）
１５  側面下枠（横枠）
２５  嵌め殺し窓
３０  開き雨戸
４０  操作部
４１  レバー部
４３  下枠補助部材
６１  ローラ（移動部）
６３  ガイド溝（案内部）
６４  歯車部材
６５  ラック部材
８０  変換機構
【図１】
2005030057.tif 000003
【図２】
2005030057.tif 000004
【図３】
2005030057.tif 000005
【図４】
2005030057.tif 000006
【図５】
2005030057.tif 000007
【図６】
2005030057.tif 000008
【図７】
2005030057.tif 000009
【図８】
2005030057.tif 000010
【図９】
2005030057.tif 000011
【図１０】
2005030057.tif 000012
【図１１】
2005030057.tif 000013
【図１２】
2005030057.tif 000014